【事件の表示】
　特許第２８３２２７４号「グリーンカット作業車」の特許に対する特許異議の申立てについて、次のとおり決定する。
【結　論】
　訂正を認める。
　特許第２８３２２７４号の請求項１ないし８に係る特許を維持する。
【理　由】
〔1〕手続きの経緯
　本件特許第2832274号（以下「本件特許」という。）は、平成8年9月11日の出願であって、平成10年10月2日に特許権の設定登録がなされ、その後、豊和工業株式会社により特許異議の申立てがなされた。そして、当審における平成11年9月17日付け取消理由通知の指定期間内である平成11年12月2日に訂正請求がされたが、該訂正請求は、平成12年1月17日付けで取下げられた。さらにその後、平成12年1月25日付け取消理由通知の指定期間内である平成12年2月15日に新たな訂正請求がされたものである。
〔2〕訂正の適否についての判断
(1)訂正の内容
　本件訂正請求の要旨は、以下のとおりのものである。
a)特許明細書の特許請求の範囲の請求項１の「車体の床下に配設されて、回転面が前記コンクリート打継面と対向して回転しながらこの打継面上を摺動し、この回転及び摺動により打継面上のレイタンス及び弱層モルタル材を除去する清掃ブラシと；」を「車体の床下に配設されて、回転面が前記コンクリート打継面と対向して回転しながらこの打継面上を摺動し、この回転及び摺動により打継面上の前記レイタンス及び弱層モルタル材を常に一定の力で前記コンクリート打継面に押接されながら掻き削るように除去すると共に、複数の回転ブラシを備えこれら回転ブラシの各個の接触部付近にある前記ズリを車両の後方に送り出す清掃ブラシと；」と訂正し、
b)同じく特許明細書の特許請求の範囲の請求項１の「前記回収ブラシは、前記清掃ブラシの回転・摺動により生じた前記ズリを、前記搬送路始点付近に向けてはね上げるものであり、前記コンベアは、はね上げられた前記ズリを前記搬送路終点まで搬送するものであり、前記回収タンクは、前記コンベアの搬送路終点まで搬送されてきたズリを前記回収口より内部に収納することを特徴」を「前記回収ブラシは、前記清掃ブラシの回転・摺動により生じた前記ズリととともに水を前記搬送路始点付近に向けてはね上げるものであり、前記コンベアは、はね上げられた前記ズリとともに水を前記搬送路終点まで搬送するものであり、前記回収タンクは、前記コンベアの搬送路終点まで搬送されてきたズリを前記回収口より内部に収納することを特徴」と訂正する。
c)発明の詳細な説明中の課題を解決するための手段の項の「・・・弱層モルタル材を除去する清掃ブラシと；」を「・・・弱層モルタル材を常に一定の力で前記コンクリート打継面に押接されながら掻き削るように除去すると共に、複数の回転ブラシを備えこれら回転ブラシの接触部付近にある前記ズリを車両の後方に送り出す清掃ブラシと；」と訂正する。
d)同じく発明の詳細な説明中の課題を解決するための手段の項の「前記回収ブラシは、前記清掃ブラシの回転・摺動により生じた前記ズリを、前記搬送路始点付近に向けてはね上げるものであり、前記コンベアは、はね上げられた前記ズリを前記搬送手段により搬送路終点まで搬送するものであり、前記回収タンクは、前記コンベアの搬送路終点まで搬送されてきたズリを回収口より内部に収納することを特徴」を「前記回収ブラシは、前記清掃ブラシの回転・摺動により生じた前記ズリととともに水を前記搬送路始点付近に向けてはね上げるものであり、前記コンベアは、はね上げられた前記ズリとともに水を前記搬送路終点まで搬送するものであり、前記回収タンクは、前記コンベアの搬送路終点まで搬送されてきたズリを前記回収口より内部に収納することを特徴」と訂正する。
(2)訂正の目的の適否、新規事項の有無及び拡張・変更の存否
　上記訂正a)は、清掃ブラシを限定したものであるから、特許請求の範囲の減縮に相当する。
　そして、当該訂正中の「常に一定の力で前記コンクリート打継面に押接されながら掻き削る」は、特許明細書の実施例の項の「このような油圧駆動機構によれば、清掃ブラシ１は常に一定の力でコンクリート打継面に押接されることになるため、打継面の凹凸にかかわらず、一定のトルクで清掃ブラシ１を回転駆動させることができる。」（段落【００２８】）なる記載に基づくものである。
　また、当該訂正中の「複数の回転ブラシを備えこれら回転ブラシの各個の接触部付近にある前記ズリを車両の後方に送り出す」は、特許明細書の実施例の項の「次に、清掃ブラシ１、及びズリ回収機構２の回収ブラシ３、コンベア４、回収タンク５の詳細な構成について順次説明していく。清掃ブラシ１は、図２に示したように、コンクリート打継面上で相互に隣接して配設された１対の回転ブラシ１ａ，１ｂと、これらの回転ブラシ１ａ，１ｂの外側にＶ字状に広がるように配設された１対の回転ブラシ１ｃ，１ｄとにより構成されている。回転ブラシ１ａ，１ｂは、矢印で示すように、互いに逆方向に回転するようになっており、これらの接触部付近にあるズリ６が回収ブラシ３に向かって送り出されるようになっている。また、回転ブラシ１ｃ，１ｄは、コンクリート打継面のコーナー部付近のグリーンカット作業を容易にするために、１点鎖線で示すように、車両の外側に張り出すことができるようになっている。さらに、これらの回転ブラシ１ａ〜１ｄは、レイタンスのようなコンクリート打継面上のしつこい汚れを効率よく除去できるよう、図１に示すように、水平面に対して傾斜させるようにし、その傾斜角度を０〜２５度の範囲で調節できるようになっている。なお、回転ブラシ１ａ〜１ｄの回転速度は７０〜１８０ｒｐｍの範囲で可変できるようになっている。」（段落【００２５】）なる記載に基づくものである。
　したがって、この事項は、特許明細書の記載に基づくものであるから、特許明細書に記載した事項の範囲内のものであって、新規事項の追加に該当せず、実質上特許請求の範囲を拡張し、又は変更するものでもない。
　上記訂正b)は、回収ブラシがズリのみをはね上げるのでなくズリとともに水をはね上げること、コンベアがズリのみを搬送するのではなく、
ズリとともに水を搬送することを限定したものであるから、特許請求の範囲の減縮に相当する。
  そして、当該訂正中の「回収ブラシは、前記清掃ブラシの回転・摺動により生じた前記ズリととともに水を前記搬送路始点付近に向けてはね上げる」は、特許明細書の実施例の「搬送ブラシ１３は、・・・表面張力を利用してズリ６と共にはね上げられた水も一緒に搬送し、これを回収タンク５に捨てることができる。」（段落【００３１】）なる記載に基づくものである。
  また、当該訂正中の「コンベアは、はね上げられた前記ズリとともに水を前記搬送路終点まで搬送する」は、特許明細書の実施例の「回収タンク５内にはドレンパイプが設けられており、コンベア４により水と共に運び込まれたズリ６の沈殿物が沈降した後の上澄み液が外部に排出できるようになっている。」（段落【００３２】）なる記載及び「この時、搬送ブラシ１３のブラシ部には前述した表面張力により水も保持されており、ズリ６と共にこの水も回収タンク５の回収口５ａからタンク内に投入される。この水は、前記したようにドレンパイプにより外部に排出され、ズリ６のみが回収タンク５内に溜まるようになっている。」（段落【００３４】）なる記載に基づくものである。
　したがって、この事項は、特許明細書の記載に基づくものであるから、特許明細書に記載した事項の範囲内のものであって、新規事項の追加に該当せず、実質上特許請求の範囲を拡張し、又は変更するものでもない。
　上記訂正c)及びd)は、発明の詳細な説明の課題を解決するための項の記載を特許請求の範囲の記載と整合させるものであるから、明瞭でない記載の釈明に該当し、実質上特許請求の範囲を拡張し、又は変更するものでもない。
(3)独立特許要件
　本件特許は、後述するように特許異議申立書で提示された甲第１号証乃至甲第６号証記載のものから当業者が容易に発明をすることができたものとすることはできない。
  また、他に訂正後における特許請求の範囲に記載されている事項により特定される発明が特許出願の際独立して特許を受けることができるものでないとする理由も発見しない。
　したがって、本件請求項１乃至請求項８に係る発明は、特許出願の際独立して特許を受けることができるものと認める。
(4)むすび
  以上のとおりであるから、上記訂正は特許法第１２０条の４第２項及び同条第３項において準用する第１２６条第２−４項の規定に適合するので、当該訂正を認める。
〔3〕特許異議申立についての判断
(1)申立の理由の概要
　これに対して、特許異議申立人の申立の理由は、「本件請求項１〜８の各項に記載の各特許発明は甲第１〜６号証に記載の発明に基づいて、その発明の属する技術の分野における通常の知識を有する者が容易に発明をすることができたものであるから、本件特許は特許法第２９条第２項の規定により特許を受けることができないものであり、特許法第１１３条第１項第２号の規定により取り消すべきものである。」とするものであり、以下の証拠を提出している。
　甲第１号証：特開平1-207509号公報
　甲第２号証：特開平4-216707号公報
　甲第３号証：特開平7-305506号公報
　甲第４号証：特開昭54-66560号公報
　甲第５号証：特開昭63-93909号公報　　
　甲第６号証：実公昭60-29461号公報
(2)本件発明
　本件発明は、訂正明細書の請求項１乃至８に記載された以下のとおりのものと認める。
「【請求項１】
　コンクリート打継面に対してグリーンカット作業を行ない、このグリーンカット作業により打継面上に生じたレイタンス及び弱層モルタル材を少なくとも含むズリを回収するグリーンカット作業車において、
  車体の床下に配設されて、回転面が前記コンクリート打継面と対向して回転しながらこの打継面上を摺動し、この回転及び摺動により打継面上の前記レイタンス及び弱層モルタル材を常に一定の力で前記コンクリート打継面に押接されながら掻き削るように除去すると共に、複数の回転ブラシを備えこれら回転ブラシの接触部付近にある前記ズリを車両の後方に送り出す清掃ブラシと；
　前記清掃ブラシの車両後方側に配設されて車両の進退動方向に回転する回収ブラシと、前記車両の底部側から上部側方向に設けられた搬送路に沿って前記ズリを上方へ搬送する搬送部材を有すると共に前記搬送路始点が前記回収ブラシに臨んで配設されたコンベアと、このコンベアの前記搬送路終点に回収口が臨むように配設された回収タンクとを含んで成るズリ回収機構と；
　を備え、前記回収ブラシは、前記清掃ブラシの回転・摺動により生じた前記ズリととともに水を前記搬送路始点付近に向けてはね上げるものであり、前記コンベアは、はね上げられた前記ズリとともに水を前記搬送路終点まで搬送するものであり、前記回収タンクは、前記コンベアの搬送路終点まで搬送されてきたズリを前記回収口より内部に収納することを特徴とするグリーンカット作業車。
　【請求項２】
　前記清掃ブラシは、前記コンクリート打継面に平行な面上で相互に隣接して配設され、且つ、相互の接触部付近にある前記ズリが前記回収ブラシに向かって送り出されるように互いに逆方向に回転する、少なくとも１対の回転ブラシから成るものであることを特徴とする請求項１に記載のグリーンカット作業車。
　【請求項３】
　前記清掃ブラシを所定圧力で前記コンクリート打継面に対して常時押圧するように支持する油圧駆動機構を備えたことを特徴とする請求項１又は２に記載のグリーンカット作業車。
　【請求項４】
　前記コンベアは、駆動ロール及び従動ロールと、これら両ロール間に掛け渡されたベルトと、このベルトの外周面に複数取り付けられた前記搬送部材としての搬送ブラシと、このベルトの下方の搬送路に沿って延設された底板と、から構成されており、
　前記搬送ブラシは、前記回収ブラシにより前記底板の搬送路始点付近の位置にはね上げられたズリを底板上を滑らせながら掻き上げ、前記搬送路終点に臨んで配置されている前記回収タンクの回収口に向けてズリを投入することを特徴とする請求項１ないし３の何れかに記載のグリーンカット作業車。
　【請求項５】
　前記コンベアは、駆動ロール及び従動ロールと、これら両ロール間に掛け渡されたベルトと、このベルトの外周面に複数取り付けられた前記搬送部材としての搬送バケットと、から構成されており、
　前記搬送バケットは、前記回収ブラシにより前記搬送路始点にはね上げられたズリを前記車両の底部で収納し、前記搬送路終点に臨んで配置されている前記回収タンクの回収口に向けてズリを投入することを特徴とする請求項１ないし３の何れかに記載のグリーンカット作業車。
　【請求項６】
　前記回収タンクを車両の外側に向けて傾斜させることにより、タンク内に回収した前記ズリを排出口からタンク外に排出する排出機構を備えたことを特徴とする請求項１ないし５の何れかに記載のグリーンカット作業車。
　【請求項７】
　前記清掃ブラシ及び回収ブラシの側方に、前記ズリの飛散を防止するカーテン部材を取り付けたことを特徴とする請求項１ないし６の何れかに記載のグリーンカット作業車。
　【請求項８】
　前記清掃ブラシ及び回収ブラシは、車両の通常走行時には、路面から充分上方に離間して位置するように配設されたものであることを特徴とする請求項１ないし７の何れかに記載のグリーンカット作業車。」
(3)甲号各証記載の発明
　甲第１号証は、ごみを収集する路面掃除機に関するもので、以下の事項が記載されている。
a)「後方部分2bは、ほこり（ごみ）吸引ユニット6に連結されたごみコンテナ5が上方に、そして適切に動力の供給される２つの駆動ホイール4bが下部に設けられている。図示例では、モータがコンテナ5下部のフレーム2上に置かれた機械を動かすために備えられている。
　キャブ3とコンテナ5下部との間に、ごみをコンテナ5内に搬送するごみコンベヤ7がある。
　コンベヤ7は道路表面9と接触してフレーム2下方に配置されたブラシ8から供給され、そして路面はまた清掃されるべき工場の庭であっても良い。
　キャブ3とコンテナ5間にはまた、以下に説明される如き水放出システムの一部をなす水貯蔵タンク10が配置されている。
　より詳細には、コンテナ5は例えば約3ｍ２の容量を有する大容量体であり、そしてスイベルロッド11（第７図）と、ごみを特別に配置されたコンテナ内に荷下ろしするために、コンテナ5の局部的傾斜と上昇作用を可能にする少なくとも１つの流体作動ピストン12，とを介してフレーム2に取付けられている。荷下ろしは機械1の後部に位置した専用の荷おろしゲート13によって底壁14を通して達成される。」（第4頁左下欄第19行〜第5頁左上欄第3行）
b)「コンベヤ7は、高さでは、フランジ8の底端レベルと仕切り壁15で形成された開口16の頂端レベルとの間で路面9に垂直に延びている。
　コンベヤ7の構造は、第２図に表わした如く、吸引空気流の貫通を可能にするため開放しており、そしてお互いに離れて配置され、且つループに引っ張られた２つの支持兼案内チェーン26で構成されている。スプロケットホイール27が動力駆動されチェーンを駆動するためにチェーン26と噛合している。
　多数の搬送用パドル（ｐａｄｄｌｅ）28がチェーン26に取付けられ、且つお互いに離れて配設されている。特別に用意されたチェーン緊張装置（図示なし）が、パドル28群のどのような動揺も防ぐためにチェーンを十分に引張って保持している。
　チェーン26とスプロケットホイール27とは、お互いに平行且つ離れて配設されたパドル28群が、下方のごみを取上げ、上方では開口16からコンテナ5内に投入する、上昇走行及び下降走行をするように設定されている。」（第5頁左下欄第1〜20行）
c)「サイドブラシ31は、センターローラ32の方にごみを向けるためにお互いに反対方向に回転する。センターローラ32は、機械1を前方に進めるホイール4a、4bに関して反対方向に回転し、そしてコンベヤ7の下端に対して後方に位置しており、コンベヤの方へごみ材料を投げつける。センターローラ32とコンベヤ7の下端とが、機械1の長手方向側面に沿った長手方向隔壁34（第６，７図）と、センターローラ32の後部の横隔壁35（第１図）と、コンベヤ7前方の型付け壁30の下部部分30a（第１，２図）とによって境界付けされていることに留意すべきである。」（第6頁左上欄第4〜15行）
　甲第２号証は、ブラシ式路面清掃車の埃回収装置に関し、以下の事項が記載されている。
a)「【作用】側ブラシが内側へ回転して缶や石などの大型のゴミを清掃車の中央に掃き寄せ、清掃車後部の主ブラシでコンベアに掃き上げてホッパーへ回収する。」（段落【0006】）
b)「【実施例】図１に示す路面清掃車１は、前後の走行輪２，３で路面Ｆ上を走行する。走行輪２，３の中間には車巾方向中央の縦鉛直平面Ａ（図４）の両側に夫々一対の側ブラシ４，５が支持機構６，７を介して車体８に取付けてある。これらの側ブラシ４，５によって車体８の中央側へ掃き寄せられたゴミは、車体後部の主ブラシ９の回転でコンベア１０へ掃き上げられ、周回するコンベア１０に多数取付けた押上板１１によって上方へ運び車体後部上方のホッパー１２内へ投入するようになっている。ホッパー１２は図示しない周知のダンプ機構を介して車体８に取付けてあり、車体後方上方へホッパー１２をリフトし、その位置でホッパー１２を傾けて回収したゴミを外部へ排出するようになっている。」（段落【0008】）
c)「そして図示しない持上げチェンで取付板５８を持上げて側ブラシ４を接地状態から持ち上げ、且つ揺動ブラケット５５下端に連結したレバー５５ａを図示しない油圧シリンダで引き込んで、側ブラシ４を図９のように車体８の下部へ格納するようにしてある。」（段落【0012】）
d) 「この様にして埃案内箱６０は周囲をゴムフラップ６６，７３，８３，９９で囲み、側ブラシ４の清掃に要する側部の一部（縁石を清掃する部分）を除いた略全体を覆う」（段落【0017】）
　甲第３号証には、コンクリート打継面のレイタンカット装置に関し、以下の事項が記載されている。
a)「個々の回転ブラシ６の取り付け方法はいずれも同様に行う。そこで、図１において、最左方の回転ブラシ６に注目すると、支持盤４の所定箇所の下面に３個のブラケット７が均等間隔で周状に垂設固定され、夫々のブラケット７には上下方向に長い案内孔８が穿設してある。
　一方、出力軸９ａを下方に向けたモータ９の外周には上記ブラケット７の数と同様に３個のアーム１０が水平に均等間隔で突設され、夫々のアーム１０を各ブラケット７に挿通して各アーム１０の端部に係止金具１１を固定することによりアーム１０の抜け出しを防止してある。モータ９の出力軸９ａにはホルダー１２が固定してあり、ホルダー１２の下面にはブラシ１３が植設してある。
　なお、ブラケット７の数、及びモータ９の外周に突設したアーム１０の数は、上記では一個のモータ９について夫々３個としてあるが、これに限定されず、２個以上の複数個であればよい。
　ブラシ１３は砥粒を含ませた強弾性力の線状ナイロンから成り、弾性復帰力に富み、合わせて耐摩耗性に優れた材質を使用する。
　図５に一本のブラシ１３を図示してある。線状ナイロン１３ａに含有された砥粒１３ｂはタングステンカーバイト等の超硬材から成り、線状ナイロン１３ａの先端（図５の左方）から突出した砥粒１３ｂがレイタンス等を削り取るように除去するのである。」（段落【0024】〜【0028】）
　甲第４号証には、ガツターブルームの接地荷重調整装置に関し、以下の事項が記載されている。
a)「以上の様にこの発明にあっては、支持ブラケット、フロントチルトロッド、サスペンションロッド及びチルトブラケットにて構成される平行リンク機構に、作動時にガツターブルームに所定大きさの持上力を与える様に油圧シリンダーを配設し、この油圧シリンダーの供給ポートを途中にリリーフ弁を介して油圧ポンプに連結し、清掃作業する場合油圧シリンダーがその動きに関係なく常に一定の持上力をチルトブラケットに与える様にしたので、ガツターブルームが使用により摩耗してガツターブルームの位置が下がったり路面の不陸によりガツターブルームの位置が上下してもガツターブルームの接地荷重を略一定に保つことができ清掃を効率良く行える性能上の効果がある。」（第5頁左下欄第18行〜同右下欄第11行）
b)「更にまた、上記の様に油圧シリンダー供給ポートを途中にリリーフ弁を介して油圧ポンプに連結し、油圧シリンダーに所定圧の供給することによりチルトブラケットに一定の持上力を与える様にしたので、ガツターブルームス接地荷重の大きさをリリーフ弁を調整することにより調整することができ、その調整を容易にかつ早く行える利点がある。」（第5頁右下欄第19行〜第6頁左上欄第6行）
　甲第５号証には、路面清掃車の土砂等捕捉搬送装置に関し、以下の事項が記載されている。
a)「まず、コンベア(6)について述べると、該コンベア(6)は側溝等に堆積した土砂等をサイドガツターブラシ(5)で中央に進めた土砂等を捕捉搬送する巾に構成され外側面にはコンベア巾の段状ブラシ(9)が設けられ、上下に設置してあるプーリ(10)(11)で支承されて前記したごとく、ボデー3側から設けられ、図示しないが駆動装置により第１図示の矢印の方向、すなわち、土砂等を前方へ掃き上げる方向に回転するように構成され、その前方上部に設けたホッパー(4)の投入口（4a）に向けて傾斜させて設けられる。
　なお、上記段状ブラシ(9)は可撓性及び復元力を有する素材、例えば化学合成繊維（ポリプロピレン樹脂）あるいは金属線等で構成される。」（第2頁右下欄第4〜17行）
b)「上記過程において、側溝に堆積している土砂等はサイドガツターブラシ(5)により中央に集められ、バツフルローラ(7)の凹所に入り込み、さらに地面にある土砂等が段状ブラシ(9)で掃き上げられ、バツフルローラ(7)と段状ブラシ(9)との間に捕捉されて略々半回転させられ、ガイドプレート(13)地点に至ると段状ブラシ(9)の働きでガイドプレート(8)上に移しかえられ、その後は段状ブラシ(9)の働きでホッパー投入口(4a)等で搬送され、ホッパー(4)内に投入させられるものである。」（第3頁右上欄第6〜16行）
　甲第６号証には、路面清掃車における掃上装置の補助装置に関し、以下の事項が記載されている。
a)「11は、前記掃上げブラシ1のリフテイング装置で、左右の揺動腕9A、9Bに一端を連結したチェーン12A、12Bがその上方の車体5に固設した回動自在なガイドプーリ13A、13Bに捲回され、そのチェーン12A、12Bの他端がガイドプーリ13A、13Bの前方に配備した左右の枢軸14に固着したレバー15A、15Bの（一端に接続され、そのレバー15A、15B）の他端に油圧シリンダ16のピストンロッド17が夫々連結され、その油圧シリンダ16の作動によって連結した左右の揺動腕9A、9Bが支軸7を支点として上下方向に揺動し、後端に軸支した掃上げブラシ1を路面に接地させたり、路面から離反した走行位置に保持するように構成されている。2は、この接地自在な掃上げブラシ1の前方に配備した塵埃回収用のコンベアで掃上げブラシ1によって掃き上げられた路面上の塵埃類を周回する押上板18・・・によって上方へ運び車体5の上部に設けた図示しない収容部内へ投入して回収するようになっている。19A、19Bは、このコンベア2とその後方の掃上げブラシ1間の両側方に配備した接地自在なダートシューで、このダートシュー19A、19Bの上面には、コンベア2の下部と掃上げブラシ1間の空隙部の両側面を遮蔽する側板20A、20Bが夫々固着され、掃き上げた塵埃類が車軸方向へ飛散するのを防止するようになっている。」（第2頁左欄第8〜34行）
(4)対比・判断
　まず、本件特許の請求項１に係る発明と甲号第１号証乃至甲号第６号証に記載された発明とを対比する。
　甲第１号証、甲第２号証及び甲第４号証乃至甲第６号証に関するものは、いずれも路面掃除機又は路面清掃車に関するものであり、いずれにも本件請求項１に係る発明の「車体の床下に配設されて、回転面が前記コンクリート打継面と対向して回転しながらこの打継面上を摺動し、この回転及び摺動により打継面上の前記レイタンス及び弱層モルタル材を常に一定の力で前記コンクリート打継面に押接されながら掻き削るように除去すると共に、複数の回転ブラシを備えこれら回転ブラシの接触部付近にある前記ズリを車両の後方に送り出す清掃ブラシと」なる構成、「回収ブラシは、前記清掃ブラシの回転・摺動により生じた前記ズリととともに水を前記搬送路始点付近に向けてはね上げるものであり、前記コンベアは、はね上げられた前記ズリとともに水を前記搬送路終点まで搬送するものであり、前記回収タンクは、前記コンベアの搬送路終点まで搬送されてきたズリを前記回収口より内部に収納すること」なる構成に関しては、記載も示唆もされていない。
  また、甲第３号証に記載されたコンクリート打継面のレイタンスカット装置に関するものであるが、「回収ブラシは、前記清掃ブラシの回転・摺動により生じた前記ズリととともに水を前記搬送路始点付近に向けてはね上げるものであり、前記コンベアは、はね上げられた前記ズリとともに水を前記搬送路終点まで搬送するものであり、前記回収タンクは、前記コンベアの搬送路終点まで搬送されてきたズリを前記回収口より内部に収納すること」なる構成に関しては、記載も示唆もされていない。
  しかしながら、甲第１号証、甲第２号証及び甲第３号証乃至甲第６号証に記載された路面掃除機又は路面清掃車と甲第３号証に記載されたレイタンスカット装置とは、異なる技術分野に属するものであり、甲第１号証、甲第２号証及び甲第３号証乃至甲第６号証に記載された路面掃除機又は路面清掃車に甲第３号証に記載されたレイタンスカット装置を適用することには、技術的困難性がある。
  しかも、本件特許の請求項１に係る発明の「回収ブラシは、前記清掃ブラシの回転・摺動により生じた前記ズリととともに水を前記搬送路始点付近に向けてはね上げるものであり、前記コンベアは、はね上げられた前記ズリとともに水を前記搬送路終点まで搬送するものであり、前記回収タンクは、前記コンベアの搬送路終点まで搬送されてきたズリを前記回収口より内部に収納する」なる構成を具備していない、甲第１号証乃至甲第６号証に記載の発明を組み合わせても本件特許の請求項１に係る発明には、至らないものと認める。
　また、本件特許の請求項２乃至請求項８に係る発明は、本件特許の請求項１に係る発明を更に限定したものであるから、同様に甲第１号証乃至甲第６号証に記載の発明に基づいて当業者が容易に成し得たものとすることはできない。
(5)むすび
　以上のとおりであるから、異議申立人の主張は採用できない。
　よって、結論のとおり決定する。
【異議決定日】
平成１２年２月２２日（２０００．２．２２）
【訂正の要旨】
　訂正の要旨
ａ）特許明細書の特許請求の範囲の請求項１の「車体の床下に配設されて、回転面が前記コンクリート打継面と対向して回転しながらこの打継面上を摺動し、この回転及び摺動により打継面上のレイタンス及び弱層モルタル材を除去する清掃ブラシと；」を「車体の床下に配設されて、回転面が前記コンクリート打継面と対向して回転しながらこの打継面上を摺動し、この回転及び摺動により打継面上の前記レイタンス及び弱層モルタル材を常に一定の力で前記コンクリート打継面に押接されながら掻き削るように除去すると共に、複数の回転ブラシを備えこれら回転ブラシの接触部付近にある前記ズリを車両の後方に送り出す清掃ブラシと；」と訂正し、
ｂ）同じく特許明細書の特許請求の範囲の請求項１の「前記回収ブラシは、前記清掃ブラシの回転・摺動により生じた前記ズリを、前記搬送路始点付近に向けてはね上げるものであり、前記コンベアは、はね上げられた前記ズリを前記搬送路終点まで搬送するものであり、前記回収タンクは、前記コンベアの搬送路終点まで搬送されてきたズリを前記回収口より内部に収納することを特徴」を「前記回収ブラシは、前記清掃ブラシの回転・摺動により生じた前記ズリととともに水を前記搬送路始点付近に向けてはね上げるものであり、前記コンベアは、はね上げられた前記ズリとともに水を前記搬送路終点まで搬送するものであり、前記回収タンクは、前記コンベアの搬送路終点まで搬送されてきたズリを前記回収口より内部に収納することを特徴」と訂正する。
ｃ）発明の詳細な説明中の課題を解決するための手段の項の「・・・弱層モルタル材を除去する清掃ブラシと；」を「・・・弱層モルタル材を常に一定の力で前記コンクリート打継面に押接されながら掻き削るように除去すると共に、複数の回転ブラシを備えこれら回転ブラシの接触部付近にある前記ズリを車両の後方に送り出す清掃ブラシと；」訂正する。
ｄ）同じく発明の詳細な説明中の課題を解決するための手段の項の「前記回収ブラシは、前記清掃ブラシの回転・摺動により生じた前記ズリを、前記搬送路始点付近に向けてはね上げるものであり、前記コンベアは、はね上げられた前記ズリを前記搬送路終点まで搬送するものであり、前記回収タンクは、前記コンベアの搬送路終点まで搬送されてきたズリを前記回収口より内部に収納することを特徴」を「前記回収ブラシは、前記清掃ブラシの回転・摺動により生じた前記ズリととともに水を前記搬送路始点付近に向けてはね上げるものであり、前記コンベアは、はね上げられた前記ズリとともに水を前記搬送路終点まで搬送するものであり、前記回収タンクは、前記コンベアの搬送路終点まで搬送されてきたズリを前記回収口より内部に収納することを特徴」と訂正する。
（５４）【発明の名称】
グリーンカット作業車
（５７）【特許請求の範囲】
　【請求項１】
　コンクリート打継面に対してグリーンカット作業を行ない、このグリーンカット作業により打継面上に生じたレイタンス及び弱層モルタル材を少なくとも含むズリを回収するグリーンカット作業車において、車体の床下に配設されて、回転面が前記コンクリート打継面と対向して回転しながらこの打継面上を摺動し、この回転及び摺動により打継面上のレイタンス及び弱層モルタル材を常に一定の力で前記コンクリート打継面に押接されながら掻き削るように除去すると共に、複数の回転ブラシを備えこれら回転ブラシの接触部付近にある前記ズリを車両の後方に送り出す清掃ブラシと；前記清掃ブラシの車両後方側に配設されて車両の進退動方向に回転する回収ブラシと、前記車両の底部側から上部側方向に設けられた搬送路に沿って前記ズリを上方へ搬送する搬送部材を有すると共に前記搬送路始点が前記回収ブラシに臨んで配設されたコンベアと、このコンベアの前記搬送路終点に回収口が臨むように配設された回収タンクとを含んで成るズリ回収機構と；を備え、前記回収ブラシは、前記清掃ブラシの回転・摺動により生じた前記ズリとともに水を前記搬送路始点付近に向けてはね上げるものであり、前記コンベアは、はね上げられた前記ズリとともに水を前記搬送路終点まで搬送するものであり、前記回収タンクは、前記コンベアの搬送路終点まで搬送されてきたズリを前記回収口より内部に収納することを特徴とするグリーンカット作業車。
　【請求項２】
　前記清掃ブラシは、前記コンクリート打継面に平行な面上で相互に隣接して配設され、且つ、相互の接触部付近にある前記ズリが前記回収ブラシに向かって送り出されるように互いに逆方向に回転する、少なくとも１対の回転ブラシから成るものであることを特徴とする請求項１に記載のグリーンカット作業車。
　【請求項３】
　前記清掃ブラシを所定圧力で前記コンクリート打継面に対して常時押圧するように支持する油圧駆動機構を備えたことを特徴とする請求項１又は２に記載のグリーンカット作業車。
　【請求項４】
　前記コンベアは、駆動ロール及び従動ロールと、これら両ロール間に掛け渡されたベルトと、このベルトの外周面に複数取り付けられた前記搬送部材としての搬送ブラシと、このベルトの下方の搬送路に沿って延設された底板と、から構成されており、前記搬送ブラシは、前記回収ブラシにより前記底板の搬送路始点付近の位置にはね上げられたズリを底板上を滑らせながら掻き上げ、前記搬送路終点に臨んで配置されている前記回収タンクの回収口に向けてズリを投入することを特徴とする請求項１ないし３の何れかに記載のグリーンカット作業車。
　【請求項５】
　前記コンベアは、駆動ロール及び従動ロールと、これら両ロール間に掛け渡されたベルトと、このベルトの外周面に複数取り付けられた前記搬送部材としての搬送バケットと、から構成されており、前記搬送バケットは、前記回収ブラシにより前記搬送路始点にはね上げられたズリを前記車両の底部で収納し、前記搬送路終点に臨んで配置されている前記回収タンクの回収口に向けてズリを投入することを特徴とする請求項１ないし３の何れかに記載のグリーンカット作業車。
　【請求項６】前記回収タンクを車両の外側に向けて傾斜させることにより、タンク内に回収した前記ズリを排出口からタンク外に排出する排出機構を備えたことを特徴とする請求項１ないし５の何れかに記載のグリーンカット作業車。
　【請求項７】前記清掃ブラシ及び回収ブラシの側方に、前記ズリの飛散を防止するカーテン部材を取り付けたことを特徴とする請求項１ないし６の何れかに記載のグリーンカット作業車。
　【請求項８】
　前記清掃ブラシ及び回収ブラシは、車両の通常走行時には、路面から充分上方に離間して位置するように配設されたものであることを特徴とする請求項１ないし７の何れかに記載のグリーンカット作業車。
【発明の詳細な説明】
　　【０００１】
　【発明の属する技術分野】
　本発明は、主として、ダム建設工事施工の際のコンクリート打継面の処理に用いられるグリーンカット作業車に関するものである。
　　【０００２】
　【従来の技術】
　ダム等のコンクリート構造物を構築する場合、所定厚さのコンクリートを打設し、養生後の打設面に新たなコンクリートを次々に打継していくことが行われる。このとき、先のコンクリート打継面上にレイタンスと呼ばれる一種のアクが発生しているため、次のコンクリートを打継する前にこのレイタンスを除去しておく必要がある。そして、このレイタンスの除去作業に伴ってコンクリート打継面付近に存在する弱層モルタル部材も一緒に除去されることになる。
　　【０００３】
　このようなレイタンス及び弱層モルタル部材をコンクリート打継面から除去する作業を「狭義のグリーンカット作業」と呼び、打継面上のレイタンス及び弱層モルタル部材をこのグリーンカット作業により削り取ったもの、及びその他土砂、塵挨等の不要物を「ズリ」と呼ぶ。また、狭義のグリーンカット作業とズリ回収作業とを合わせた作業を広義のグリーンカット作業と呼ぶことがあるが、本明細書では特に明記しない限り「グリーンカット作業」とは狭義のグリーンカット作業を意味するものとする。但し、本発明に係る「グリーンカット作業車」の「グリーンカット作業」は広義の意味で用いている。
　　【０００４】
　従来のグリーンカット作業は、例えば、次のような作業車を用いて行われていた。すなわち、第１に、高圧水をコンクリート打継面にジェット噴射して打継面上のレイタンス及び弱層モルタル部材を削り取る、いわゆる高圧洗浄型グリーンカット作業車を用いるものてある（実公平６−４７０９０号）。第２は、車体前方部に固定された固定ブラシと、この固定ブラシよりもさらに前方に位置して長いアームに取り付けられている可動ブラシとから成る回転清掃ブラシを、コンクリート打継面上で摺動させることにより打継面上のレイタンス及び弱層モルタル部材を削り取る、いわゆる回転清掃ブラシ型グリーンカット作業車を用いるものである（実公平４−１５８７０号）。
　　【０００５】
　そして、上記の第１及び第２の従来例に係るグリーンカット作業車のグリーンカット作業により生じたズリを、大型バキュームポンプを搭載したズリ回収車の吸引ノズルにより吸引して回収し、これを所定の場所に廃棄していた。
　　【０００６】
　【発明が解決しようとする課題】
　しかし、従来のグリーンカット作業車を用いたグリーンカット作業には次のような課題があった。
　　【０００７】
　（１）第１の従来例に係る高圧洗型グリーンカット作業車は、ジェット噴射ポンプにより大量の水を高圧で噴射させるものであり、構造上の制約からコストの増大が不可避なものである。また、高圧水の制御が難しいため必要以上にコンクリート打継面の表面を削り取ってしまうことがあり、コンクリート打継面の品質に悪影響を及ぼす虞があった。
　　【０００８】
　（２）回転清掃ブラシ型グリーンカット作業車の場合、コンクリート打継面の凹凸形状に追従するように清掃ブラシを打継面に押接する必要があるが、第２の従来例に係るグリーンカット作業車では、清掃ブラシの自重がそのまま打継面に加わるようにして押接を行っている。ところが、清掃ブラシはピアノ線等の鋼線より形成されているため、かなりの重量があり、この重量がそのまま打継面に加わったのでは充分な回転トルクを得ることができず、充分なグリーンカット作業を行うことができなくなる。また、可動ブラシを長いアームに取り付ける構造であるため、車両全体が必然的に大型のものにならざるを得なかった。
　　【０００９】
　（３）第１及び第２の従来例に係るグリーンカット作業車は、いずれも大型の特殊仕様の車両であり、工事現場までの距離が長い場合には、運搬専用車に積み込んで運搬しなければならず、不便であった。
　　【００１０】
　（４）グリーンカット作業後のズリ回収作業を別行程で行わなければ成らなかった。つまり、第１又は第２のグリーンカット作業車を用いてグリーンカット作業を終了した後、一旦、このグリーンカット作業車を別の場所に移動させ、前記の大型バキュームポンプを搭載したズリ回収車を現場に持ち込んでからズリ回収作業を行わなければならなかった。したがって、グリーンカット作業及びズリ回収作業の双方に対して必要な人員及び時間が増大し、労力及び作業時間の低減を阻害する大きな要因となっていた。
　　【００１１】
　本発明は上記事情に鑑みてなされたものであり、コンパクトな構成でありながらグリーンカット作業及び回収作業の双方を確実且つ容易に行うことができ、労力及び作業時間の低減を図ることが可能なグリーンカット作業車を提供することを目的としている。
　　【００１２】
　【課題を解決するための手段】
　上記課題を解決するための手段として、請求項１記載の発明は、コンクリート打継面に対してグリーンカット作業を行ない、このグリーンカット作業により打継面上に生じたレイタンス及び弱層モルタル材を少なくとも含むズリを回収するグリーンカット作業車において、車体の床下に配設されて、回転面が前記コンクリート打継面と対向して回転しながらこの打継面上を摺動し、この回転及び摺動により打継面上のレイタンス及び弱層モルタル材を常に一定の力で前記コンクリート打継面に押接されながら掻き削るように除去すると共に、複数の回転ブラシを備えこれら回転ブラシの接触部付近にある前記ズリを車両の後方に送り出す清掃ブラシと；前記清掃ブラシの車両後方側に配設されて車両の進退動方向に回転する回収ブラシと、前記車両の底部側から上部側方向に設けられた搬送路に沿って前記ズリを上方へ搬送する搬送部材を有すると共に前記搬送路始点が前記回収ブラシに臨んで配設されたコンベアと、このコンベアの前記搬送路終点に回収口が臨むように配設された回収タンクとを含んで成るズリ回収機構と；を備え、前記回収ブラシは、前記清掃ブラシの回転・摺動により生じた前記ズリとともに水前記搬送路始点付近に向けてはね上げるものであり、前記コンベアは、はね上げられた前記ズリとともに水を前記搬送路終点まで搬送するものであり、前記回収タンクは、前記コンベアの搬送路終点まで搬送されてきたズリを前記回収口より内部に収納することを特徴とする。
　　【００１３】
　請求項２記載の発明は、請求項１記載の発明において、前記清掃ブラシは、前記コンクリート打継面に平行な面上で相互に隣接して配設され、且つ、相互の接触部付近にある前記ズリが前記回収ブラシに向かって送り出されるように互いに逆方向に回転する、少なくとも１対の回転ブラシから成るものであることを特徴とする。
　　【００１４】
　請求項３記載の発明は、請求項１又は２記載の発明において、前記清掃ブラシを所定圧力で前記コンクリート打継面に対して押圧するように支持する油圧駆動機構を備えたことを特徴とする。
　　【００１５】
　請求項４記載の発明は、請求項１乃至３のいずれかに記載の発明において、前記コンベアは、駆動ロール及び従動ロールと、これら両ロール間に掛け渡されたベルトと、このベルトの外周面に取り付けられた前記搬送部材としての搬送ブラシと、このベルトの下方の搬送路に沿って延設された底板と、から構成されており、前記搬送ブラシは、前記回収ブラシにより前記底板の搬送路始点付近の位置にはね上げられたズリを底板上を滑らせながら掻き上げ、搬送路終点に臨んで配置されている前記回収タンクの回収口に向けてズリを投入するものであることを特徴とする。
　　【００１６】
　請求項５記載の発明は、請求項１乃至３のいずれかに記載の発明において、前記コンベアは、駆動ロール及び従動ロールと、これら両ロール間に掛け渡されたベルトと、このベルトの外周面に複数取り付けられた前記搬送部材としての搬送バケットと、から構成されており、前記搬送バケットは、前記回収ブラシにより前記搬送路始点にはね上げられたズリを前記車両の底部で収納し、前記搬送路終点に臨んで配置されている前記回収タンクの回収口に向けてズリを投入することを特徴とする。
　　【００１７】
　請求項６記載の発明は、請求項１乃至５のいずれかに記載の発明において、前記回収タンクを車両の外側に向けて傾斜させることにより、タンク内に回収した前記ズリを排出口からタンク外に排出する排出機構を備えたことを特徴とする。
　　【００１８】
　請求項７記載の発明は、請求項１乃至６のいずれかに記載の発明において、前記清掃ブラシ及び回収ブラシの側方に、前記ズリの飛散を防止するカーテン部材を取り付けたことを特徴とする。
　　【００１９】
　請求項８記載の発明は、請求項１乃至７のいずれかに記載の発明において、前記清掃ブラシ及び回収ブラシは、車両の通常走行時には、路面から充分上方に離間して位置するように配設されたものであることを特徴とする。
　　【００２０】
　【発明の実施の形態】
　以下、本発明の実施形態を図に基づき説明する。図４は、本発明の概略構成を示す概念図である。この図４において、清掃ブラシ１は４つの回転ブラシ１ａ〜１ｄにより構成されており、ズリ回収機構２は回収ブラシ３、コンベア４、及び回収タンク５により構成されている。そして、清掃ブラシ１によりコンクリート打継面から除去されたズリ６は、回収ブラシ３に向かって送り出され、この回収ブラシ３によりコンベア４上にはね上げられる。コンベア４上にはね上げられたズリ６は、そのまま回収タンク５まで搬送され、回収口より回収タンク５の内部に収納されるようになっている。
　　【００２１】
　この構成では、清掃ブラシ１のすぐ後方にズリ回収機構２を配置しているので、グリーンカット作業及びズリ回収作業を１つの工程として同時に行うことができるばかりか、コンパクト化をも図ることが可能になっている。このコンパクト化が可能となった主な要因は、ズリ回収機構２の中でコンベア方式を採用したことにある。つまり、ズリを回収するのに従来のようなバキュームポンプによる吸引方式では大きな動力が必要となるため装置が大型化せざるを得ないが、上記のコンベア方式によれば小さな動力でズリを回収することができるため、大型化を抑制することが可能になる。
　　【００２２】
　図１、図２、図３は、それぞれ第１の実施の形態に係るグリーンカット作業車の側面図、平面図、正面図である。このグリーンカット作業車は、全長約５ｍ、幅２．３５ｍ、高さ２．６５ｍ、重量４．３ｔであり、市街で見かけるゴミ収集車程度の大きさである。
　　【００２３】
　図１において、車両の床下に清掃ブラシ１が配設されており、清掃ブラシ１の後方に回収ブラシ３が配設されている。回収ブラシ３の前方には、コンベア４が、搬送路始点が下方に搬送路終点が上方に位置するように配設されている。そして、回収タンク５は、コンベア４の搬送路終点に臨むように配設されている。また、運転室のすぐ後ろには、清掃ブラシ１、回収ブラシ３、及びコンベア４等を駆動するための動力用エンジンや、油圧配管８を介して清掃ブラシ１に取り付けられた油圧シリンダと連通して清掃ブラシ１に対し後述する路面追従機能を与える油圧駆動機構を収納した機械室７が配設されている。
　　【００２４】
　なお、コンベア４の搬送路始点付近の周囲にはカーテンブラシ９が取り付けられ、回収ブラシ３の上方にはカバー２１が取り付けられて周囲にズリ６が飛散するのを防止するようにしている。本第１の実施の形態では、それほど大きなカーテンブラシ９を用いていないが、清掃ブラシ１の側方も覆うような大きなカーテンブラシを用いるようにし、ズリ６の飛散防止をより徹底させるようにしてもよい。
　　【００２５】
　次に、清掃ブラシ１、及びズリ回収機構２の回収ブラシ３、コンベア４、回収タンク５の詳細な構成について順次説明していく。清掃ブラシ１は、図２に示したように、コンクリート打継面上で相互に隣接して配設された１対の回転ブラシ１ａ，１ｂと、これらの回転ブラシ１ａ，１ｂの外側にＶ字状に広がるように配設された１対の回転ブラシ１ｃ，１ｄとにより構成されている。回転ブラシ１ａ，１ｂは、矢印で示すように、互いに逆方向に回転するようになっており、これらの接触部付近にあるズリ６が回収ブラシ３に向かって送り出されるようになっている。また、回転ブラシ１ｃ，１ｄは、コンクリート打継面のコーナー部付近のグリーンカット作業を容易にするために、１点鎖線で示すように、車両の外側に張り出すことができるようになっている。さらに、これらの回転ブラシ１ａ〜１ｄは、レイタンスのようなコンクリート打継面上のしつこい汚れを効率よく除去できるよう、図１に示すように、水平面に対して傾斜させるようにし、その傾斜角度を０〜２５度の範囲で調節できるようになっている。なお、回転ブラシ１ａ〜１ｄの回転速度は７０〜１８０ｒｐｍの範囲で可変できるようになっている。
　　【００２６】
　図５は、回転ブラシ１ａの構造を示す斜視図である（回転ブラシ１ｂ〜１ｄも同様の構造である。）。この図において、回転ブラシ１ａは、フランジ部１ａ１とブラシ部１ａ２とで形成されている。ブラシ部１ａ２は、コンクリート打継面に強く擦り付けられることになるため、ピアノ線等の鋼線により形成されている。また、本実施形態においては、回転ブラシ１ａはスリーピースに分割されており、ブラシ部１ａ２の清掃作業が容易に行えるようになっている。
　　【００２７】
　ここで、前述した清掃ブラシ１の路面追従機能について説明する。図８は、この路面追従機能を持たせるための油圧駆動機構の説明図である。この図において、清掃ブラシ１に取り付けられた油圧シリンダ１８には、ポンプ１５からの油圧が、切換弁１６のＡポート、逆止弁１７、を介して送出される。そして、油圧シリンダ１８の油圧は圧力計２０により検出され、一定値を維持するように制御される。例えば、清掃ブラシ１の押接面が急に凸面に変化したとすると、油圧シリンダ１８内の油圧は急激に増加しようとするが、この油圧は逃がし弁１９を通って切換弁１６のＢポートに逃がされるため、一定の圧力に維持される。一方、清掃ブラシ１の押接面が急に凹面に変化したとすると、油圧シリンダ１８内の油圧は急激に減少しようとするが、この時、ポンプ１５からの油圧が切換弁１６のＡポート、逆止弁１７を通って油圧シリンダ１８に供給されるため、やはり、油圧シリンダ１８内の油圧は一定に維持される。なお、Ａポートから逆止弁１７を経て油圧シリンダに至る矢印は、清掃ブラシ１を下方に下げる際の油圧方向を示しており、Ｂポートから逃がし弁１９に至る矢印は、清掃ブラシ１をコンクリート打継面より上昇させて車両が走行する際の油圧の動きを示している。また、清掃ブラシを所定の圧力により打継面に押圧する際には、逃がし弁１９側にも若干の圧力が逃がされているものとする。
　　【００２８】
　このような油圧駆動機構によれば、清掃ブラシ１は常に一定の力でコンクリート打継面に押接されることになるため、打継面の凹凸にかかわらず、一定のトルクで清掃ブラシ１を回転駆動させることができる。すなわち、既述した第２の従来例では、大きな重量を有する回転清掃ブラシの自重がそのまま打継面に加わっていたため、大きなトルクを必要としていたか、本発明では、油圧の調節により清掃ブラシ１の自重を実質的に軽減することができるので、従来よりも小さなトルクで清掃ブラシ１を回転駆動することができる。なお、清掃ブラシ１の自重軽減のためには材料の選択を工夫すれば良いように思えるが、ピアノ線の使用はほぼ必然となるので、材料の選択による自重軽減は、実際には困難である。また、清掃ブラシ１の自重をあまりに低くしてしまうと、グリーンカット作業の際に清掃ブラシ１がバウンドしてしまい別の問題を生じることになる。
　　【００２９】
　次に、回収ブラシ３につき説明する。この回収ブラシ３の材質は、ズリの回収率を高めるために軟質のポリプロピレンを用いている。そして、回収ブラシ３の回転方向は、清掃ブラシ１から送られてきたズリ６をコンベア４に向けてはね上げるために車両の進行方向と逆方向となっている。なお、清掃ブラシ１用の他に回収ブラシ３用の油圧駆動機構をさらに設け、回収ブラシ３に対しても路面追従機能を持たせるようにすることができる。これにより、ズリ６の回収効率を一層高めることが可能になる。
　　【００３０】
　次に、コンベア４につき説明する。図６は、第１の実施の形態におけるコンベア４の構成を示す斜視図である。この図において、駆動ロール１０及び従動ロール１１間の両サイドには１対のペルト１２が掛け渡されており、このベルト１２の外周面には、複数の搬送ブラシ１３が取り付けられている。そして、ベルト１２の下方がズリ６の搬送路となっており、この搬送路に沿って底板１４が配設されている。
　　【００３１】
　図７は、図６における搬送ブラシ１３の外観形状を示した斜視図である。この図に示すように、搬送ブラシ１３は、止め金具１３ａ及びブラシ部１３ｂにより形成されている。搬送ブラシ１３は、底板１４上の搬送路始点付近の位置すなわち回収ブラシ３に臨んだ位置にはね上げられたズリ６を底板１４上に係止させながら回収タンク５に搬送するものであり、ブラシ部１３ｂは、０．５ｍｍの径のポリエステル製線材により形成されている。ズリ６を係止させながら搬送するのにこのようなブラシ部材を用いることにより、表面張力を利用してズリ６と共にはね上げられた水も一緒に搬送し、これを回収タンク５に捨てることができる。
　　【００３２】
　次に、回収タンク５につき説明する。本実施形態では、回収タンク５の容積は約１０００リットルであり、ズリ６が相当量溜まるまではズリ６を捨てなくて済むようになっている。また、回収タンク５内にはドレンパイプが設けられており、コンベア４により水と共に運び込まれたズリ６の沈殿物が沈降した後の上澄み液が外部に排出できるようになっている。そして、本実施形態に係る作業車には、ズリ６て満杯になった回収タンク５の排出作業を行うための排出機構が油圧機構により構成されている。図３は、回収タンク５内のズリ６をいわゆるサイドダンプ方式で排出口５ｂより外部に排出している状態を示したもので、運転者が車内から排出状態を確認できるように、回収タンク５を傾斜させる方向を右側としている。
　　【００３３】
　次に、上記のように構成される本実施形態のグリーンカット作業車によるグリーンカット作業及びズリ回収作業につき説明する。運転者が運転台に乗り込み、所定の操作を行うと、作業車が微速移動した状態で清掃ブラシ１、回収ブラシ３、及びコンベア４が作動を開始する。そして、清掃ブラシ１はコンクリート打継面に対して所定角度傾斜しながら、油圧駆動機構により一定の押圧力で打継面に押接されて回転し、打継面上のレイタンス及び弱層モルタル材を除去する。この時、路面追従機能により、清掃ブラシ１は打継面の表面凹凸形状に追従しながら一定トルクで回転するので、安定したグリーンカット作業を行うことができる。また、４つの回転ブラシ１ａ〜１ｄが打継面上でＶ字状に配列されているので、回転ブラシ１ａ，１ｂ間の隣接部にズリ６が自然に集中し、後方の回収ブラシ３方向へのズリ６の送り出しがスムースに行なわれるようになっている。
　　【００３４】
　次いで、清掃ブラシ１の後方に送り出されたズリ６に対し、図９に示すように、回収ブラシ３が接近し、このズリ６を底板１４上の搬送路付近の位置にはね上げる。はね上げられたズリ６は、図示のように、搬送ブラシ１３により掬われた後、底板１４上で搬送ブラシ１３に係止された状態で上方に搬送されて行く。この時、搬送ブラシ１３のブラシ部には前述した表面張力により水も保持されており、ズリ６と共にこの水も回収タンク５の回収口５ａからタンク内に投入される。この水は、前記したようにドレンパイプにより外部に排出され、ズリ６のみが回収タンク５内に溜まるようになっている。
　　【００３５】
　運転者は、このようなグリーンカット作業及びズリ回収作業をある程度継続して行った後、清掃ブラシ１、回収ブラシ３、及びコンベア４の動作を停止させ、回収タンク５内に一杯になったズリ６を捨てるために、作業車を所定の場所に移動させる。そして、排出機構を動作させて、図３に示すように、回収タンク５を大きく傾斜させることにより、排出口５ｂよりズリ６を排出する。
　　【００３６】
　上記のような一連の作業を終えた後、運転者又は作業者は清掃ブラシ１、回収ブラシ３、コンベア４、及び回収タンク５内部等を水洗いして洗浄しておくのが好ましい。この場合、清掃ブラシ１はブラシ部が打継面に向いており、重量もあるために最も洗浄し難いが、本実施形態ではこの清掃ブラシ１は車体から取り外すことが可能となうており、さらに、図５において説明したように、スリーピースに分割できるようになっているのでブラシ部１ａ２にしつこくこびり着いたズリの洗浄を容易に行うことができる。
　　【００３７】
　なお、このグリーンカット作業車は、作業を行っていない間は清掃ブラシ１、回収ブラシ２、コンベア４、及びカーテンブラシ９等を路面から充分上方に持ち上げておくことができるようになっている。したがって、支障なく通常の道路を走行することができ、遠距離の工事現場まで運搬専用車に積載することなく自走により移動することができる。
　　【００３８】
　なお、上述した第１の実施の形態に係るグリーンカット作業車は、図６に示される構成のコンベア４及び底板１４よりなるズリ回収機構を有していたが、本発明はこのような構成に限定されず、底板を設けない一般的な構成のコンベアによりズリ回収機構を構成するようにしても良い。例えば、図１０に示す第２の実施の形態に係るグリーンカット作業車のように、駆動ロール１０及び従動ロール１１間の両サイドに掛け渡された１対のペルト１２と、このベルト１２の外周面の任意の箇所に取り付けられた複数の搬送バケット１３０と、より構成されるコンベア４０を備えている。
　　【００３９】
　この第２の実施の形態においては、搬送バケット１３０の移動軌跡がズリ６の搬送路となっており、この搬送路の最下端に位置している搬送バケット１３０に対して、図１０においては図示されない回収ブラシがズリ６をはね上げてこれを収容する。ズリ６は、両ローラ１０及び１１とベルト１２の回転移動により回収タンク５の投入口５ａまで搬送される。この第２の実施の形態においては、回収タンク５の投入口５ａも図示のように反転した搬送バケット１３０から投棄されるズリ６を回収し易くするように受け口５ｂを備え、この受け口５ｂと投入口５ａとにより形成される空間により、ズリ６をより確実に回収タンク５内に回収するようにしている。
　　【００４０】
　【発明の効果】
　以上のように、本発明に係るグリーンカット作業車を用いることにより、次のような効果を得ることができる。
　　【００４１】
　（１）清掃ブラシ、回収ブラシ、回収タンク等がコンパクトに一体化されているため、車両自体を小型化することができる。
　　【００４２】
　（２）グリーンカット作業及びズリ回収作業を同時に実施できるので、労力及び作業時間を大幅に削減することができる。
　　【００４３】
　（３）本発明に係るグリーンカット作業車単独で全ての作業を行うことができ、従来のように、別の場所に設置された装置からケーブルやホース等を接続する必要がないので、工事現場での準備作業が非常に容易になる。
　　【００４４】
　（４）グリーンカット作業については高価な高圧洗浄型方式ではなく回転清浄ブラシ型方式を採用し、また、ズリ回収作業についても大型バキュームポンプによる吸引方式ではなく、回収ブラシ及びコンベア部材を用いた独自の方式を採用したので大幅なコストダウンを図ることができる。
　　【００４５】
　（５）油圧駆動機構を搭載する構成とすることにより、清掃ブラシをコンクリート打継面に対して必要な押圧力で当接させることができ、グリーンカット作業を確実に行うことができる。
　　【００４６】
　（６）回収タンクに、サイドダンプ方式等によるズリ排出機構を搭載させることにより、ズリ廃棄作業を容易に行うことができる。
　　【００４７】
　（７）カーテン部材の取付により、ズリが周囲の作業員に向かって飛散するのを防止することができ、いわゆる３Ｋと呼ばれる劣悪な工事環境の改善に寄与することが期待できる。
　　【００４８】
　（８）運搬専用車によらずに自走により、このグリーンカット作業車を工事現場に移動させることができる。
【図面の簡単な説明】
　【図１】
　本発明の第１の実施形態に係るグリーンカット作業車の側面図。
　【図２】
　本発明の実施形態に係るグリーンカット作業車の平面図。
　【図３】
　本発明の実施形態に係るグリーンカット作業車の正面図。
　【図４】
　本発明の基本概念の概略構成を示す概念図
　【図５】
　図２及び図４における回転ブラシ１ａの構造を示す斜視図。
　【図６】
　図１、図２、図４におけるコンベア４の構成を示す斜視図。
　【図７】
　図６における搬送ブラシ１３の外観形状を示した斜視図。
　【図８】
　図１乃至図４における清掃ブラシ１に対して路面追従機能を持たせるための油圧駆動機構の説明図。
　【図９】
　本発明の実施形態におけるズリ回収作業についての説明図。
　【図１０】
　本発明の第２の実施の形態に係るグリーンカット作業車のコンベア４０の構成を示す斜視図。
　【符号の説明】
１　清掃ブラシ
１ａ〜１ｄ　回転ブラシ
２　ズリ回収機構
３　回収ブラシ
４、４０　コンベア
５　回収タンク
６　ズリ
７　機械室
８　油圧配管
９　カーテンブラシ
１０　駆動ロール
１１　従動ロール
１２　ベルト
１３　搬送ブラシ（搬送部材）
１４　底板
１３０　搬送バケット（搬送部材）